(57)【要約】【課題】ショートサーキットを防止でき、天井面との隙間の不均一を目立たないようにするとともに、デザイン性の向上を図ることのできる空気調和装置を提供することを目的とする。【解決手段】内部に空調手段６を設け、前面を開口した本体７の前面開口に設けられる内側吸込口８と内側吹出口１２を有した内側パネル１３と、内側パネル１３の内側吹出口１２と連通する吹出空気流路１４を形成するように外側吹出口１５を設け配設される外側パネル１６とを備え、内側パネル１３と外側パネルとの間に内側吸込口８に連通する吸込空気流路１９を形成したことによりショートサーキットを防止でき、隙間も不均一を目立たないようにするとともにデザイン性の向上を図ることのできる空気調和装置が得られる。【選択図】図１
2006214665.tif 000002
【特許請求の範囲】
【請求項１】
内部に空調手段を設け、前面を開口した本体と、この本体の前面開口に設けられる内側吸込口と内側吹出口を有した内側パネルと、この内側パネルの内側吹出口と連通し吹出空気流路を形成するように外側吹出口を設け配置される外側パネルとを備え、前記内側パネルと外側パネルとの間に前記内側吸込口に連通する吸込空気流路を形成した空気調和装置。
【請求項２】
外側パネルを、本体の設けられる壁面あるいは天井面との間に隙間を設けて取り付ける構成とした請求項１記載の空気調和装置。
【請求項３】
吸込口と吹出口を異なる平面上に設けた請求項１記載の空気調和装置。
【請求項４】
吸込口を本体が設けられる壁面あるいは天井面と垂直となる外側パネルの側方に開口し、吹出口を前記壁面あるいは天井面と平行となる外側パネルの面に設けた請求項３記載の空気調和装置。
【請求項５】
内側パネルと外側パネルとの隙間を吸込口とした請求項１記載の空気調和装置。
【請求項６】
外側パネルを内側パネルより大きく形成した請求項１記載の空気調和装置。
【請求項７】
外側パネルを壁面あるいは天井面に対し湾曲状に形成した請求項１記載の空気調和装置。
【請求項８】
外側パネルを壁面あるいは天井面に対し移動自在に設け、運転停止時には壁面あるいは天井面に当接収納可能とした請求項１記載の空気調和装置。
【請求項９】
外側パネルを移動自在に設け、壁面あるいは天井面との隙間を調節可能とした請求項１記載の空気調和装置。
【発明の詳細な説明】
【技術分野】
【０００１】
本発明は、壁面あるいは天井面に設置して室内の空調を行なう空気調和装置に関する。
【背景技術】
【０００２】
従来、この種の空気調和装置の一例として天井面に設置して空調を行なうミスト装置が知られている（例えば、特許文献１参照）。
【０００３】
以下、そのミスト装置について図８を参照しながら説明する。図に示すように、循環ファン１０１や可動ルーバ１０２を備えた装置本体１０３を覆うグリル板１０４が設けられ、装置本体１０３は本体ケーシング１０３ａ内に多数の桟１０５ａを設けた吸気口１０５を通して室内の空気を吸引し、吹き出し口１０６を通して空気を吹き出すための循環通風路１０７と、循環通風路１０７に対して通風作用をする循環ファン１０１と、循環通風路１０７を通風する空気を加熱する熱交換器１０８と、吹き出し口１０６を通して吹き出される空気の吹き出し方向を可変する可動ルーバ１０２と、室内の空気を吸引して排気ダクト１０９を通して屋外に排気する換気ファン１１０等の空調手段を設け構成していた。
【特許文献１】特開２００２−３３６３２７号公報（［００２１］〜［００２３］、図５）
【発明の開示】
【発明が解決しようとする課題】
【０００４】
このような従来のミスト装置では、吸気口１０５と吹き出し口１０６はグリル板１０４の同一面で、しかも近接して設けられているため、吹き出し口１０６から吹き出された空気が吸気口１０５に吸気されるショートサーキットが発生し空気調和装置の能力に影響を与えるため、このショートサーキットを防止することが要求されている。
【０００５】
また、多数の桟１０５ａを設けた吸気口１０５が表面に露出するため美観を損なうという課題があり、吸気口１０５が表面に露出しないようにしてデザイン性を高めることが要求されている。
【０００６】
また、グリル板１０４が天井１１１に接する構造であるため、天井１１１とグリル板１０４との隙間が場所によっては微少に異なる場合でも、隙間の不均一が目立ち、調整しなければならないという課題があり、隙間の不均一が目立たないようにすることが要求されている。
【０００７】
本発明は、このような従来の課題を解決するものであり、ショートサーキットを防止でき、壁面あるいは天井面との隙間の不均一を目立たないようにするとともに、表面のデザイン性の向上を図ることのできる空気調和装置を提供することを目的としている。
【課題を解決するための手段】
【０００８】
本発明の空気調和装置は上記目的を達成するために、内部に空調手段を設け、前面を開口した本体と、この本体の前面開口に設けられる内側吸込口と内側吹出口を有した内側パネルと、この内側パネルの内側吹出口と連通し吹出空気流路を形成するように外側吹出口を設け配置される外側パネルとを備え、前記内側パネルと外側パネルとの間に前記内側吸込口に連通する吸込空気流路を形成したものである。
【０００９】
この手段により、ショートサーキットを防止でき、壁面あるいは天井面との隙間の不均一を目立たないようにすることができ、表面のデザイン性の向上を図ることのできる空気調和装置が得られる。
【００１０】
また、他の手段は、外側パネルを、本体の設けられる壁面あるいは天井面との間に隙間を設けて取り付ける構成としたものである。
【００１１】
この手段により、壁面あるいは天井面との隙間の不均一を目立たないようにすることができる空気調和装置が得られる。
【００１２】
また、他の手段は吸込口と吹出口を異なる平面上に設けた構成としたものである。
【００１３】
この手段により、ショートサーキットを防止するとともに、汚染しやすい吸込口のみの面を清掃すれば美観を維持することのできる空気調和装置が得られる。
【００１４】
また、他の手段では、吸込口を本体に設けられる壁面あるいは天井面と垂直となる外側パネルの側方に開口し、吹出口を前記壁面あるいは天井面と平行となる外側パネルの面に設けたものである。
【００１５】
この手段により、ショートサーキットを防止することができる空気調和装置が得られる。
【００１６】
また、他の手段は、内側パネルと外側パネルとの隙間を吸込口としたものである。
【００１７】
この手段により、汚染しやすい吸込口が目立たなくなり、インテリア性の向上を図ることができる空気調和装置が得られる。
【００１８】
また、他の手段は、外側パネルを内側パネルより大きく形成したものである。
【００１９】
この手段により、吸込気流による下側パネルの汚れが目立たなくなりインテリア性を高めることができるとともに、施工時に上側パネルと壁面あるいは天井面との隙間の調節をすることなく美観を保てることができる空気調和装置が得られる。
【００２０】
また、他の手段は、外側パネルを壁面あるいは天井面に対し湾曲状に形成したものである。
【００２１】
この手段により、外側パネルの裏側が使用者により見えにくくなるとともに、壁面あるいは天井面との隙間もわかりにくくなるため、施工による美観のばらつきがなくなるという空気調和装置が得られる。
【００２２】
また、他の手段は、外側パネルを壁面あるいは天井面に対し移動自在に設け、運転停止時には、壁面あるいは天井面に当接収納可能としたものである。
【００２３】
この手段により、運転停止時には、外側パネルが収納され美観を損なうことがなくなり、運転時には外側パネルが可動するため使用者には容易に運転状態の確認をすることができる空気調和装置が得られる。
【００２４】
また、他の手段は、外側パネルを移動自在に設け、壁面あるいは天井面との隙間を調節可能としたものである。
【００２５】
この手段により、吸込口の大きさを可変することで能力を変化することができ、室の大きさに容易に対応することができる空気調和装置が得られる。
【発明の効果】
【００２６】
本発明によればショートサーキットを防止でき、また壁面あるいは天井面との隙間の不均一を目立たないようにするとともに、表面のデザイン性の向上を図ることができるという効果のある空気調和装置を提供できる。
【００２７】
また、壁面あるいは天井面との隙間の調節をすることなく美観を保てるという効果のある空気調和装置を提供できる。
【００２８】
また、吸込面は吹出面と独立した面となるため、お手入れのときに吸込面のみをメンテナンスすることにより美観を保つことができる空気調和装置を提供できる。
【００２９】
また、ショートサーキットを防止でき、吸込空気が天井を沿って吸込まれることとなるため、天井面の乾燥時間を短くすることのできる空気調和装置を提供できる。
【００３０】
また、吸込口の汚染が目立たなくなりインテリア性の向上を図ることができるという効果のある空気調和装置を提供できる。
【００３１】
また、施工による美観のばらつきがなくなるという効果のある空気調和装置を提供できる。
【００３２】
また、外側パネルの裏側が使用者に見えなくなり美観を保てるとともに、外側パネルの裏側に一定量の結露水あるいは液体を保有することができ、装置使用時に水滴滴下することのない空気調和装置を提供できる。
【００３３】
また、使用者が容易に運転状態を確認でき、停止時には天井面より突出したものがなくなり美観性に優れるという効果のある空気調和装置を提供できる。
【００３４】
また、室の大きさに容易に対応することができるという効果のある空気調和装置を提供できる。
【発明を実施するための最良の形態】
【００３５】
本発明の請求項１記載の発明は、内部に空調手段を設け前面を開口した本体と、この本体の前面開口に設けられる内側吸込口と内側吹出口を有した内側パネルと、この内側パネルの内側吹出口と連通し吹出空気流路を形成するように外側吹出口を設け配設される外側パネルを備え、内側パネルと外側パネルとの間に内側吸込口に連通する吸込空気流路を形成したものであり、吸込気流は、外側パネルの側方から吸い込まれ、吹出気流は外側パネルの表面側より吹き出されることにより、吸込気流が吹出気流に混合されようとするショートサーキット現象が防止され、また、外側パネルは壁面あるいは天井面との間に吸込空気流路が形成されるように遠ざけて設けることにより壁面あるいは天井面との隙間の不均一は目立たなくなる。また、外側パネルの表面には桟などを設けたグリル状の吸込口が形成されなくなり、表面がすっきりとした状態となってデザイン性の向上を図り、外側グリルの掃除も容易にすることができるという作用を有する。
【００３６】
また、請求項２記載の発明は、外側パネルを、本体の設けられる壁面あるいは天井面との間に隙間を設けて取り付ける構成としたことにより、外側パネルは壁面あるいは天井面とは密着させないで、隙間を積極的に設けることとなり、壁面あるいは天井面との隙間の不均一が目立たなくなるという作用を有する。
【００３７】
また、請求項３記載の発明は、吸込口と吹出口を異なる平面上に設けたことにより、吹出口からの吹出気流が吸込口に吸込まれる吸込気流にすぐに混合し吸い込まれるショートサーキット現象を防止できるため効率のよい空気調和機を提供できるという作用を有する。
【００３８】
また、請求項４記載の発明は、吸込口を本体が設けられる壁面あるいは天井面と垂直となる外側パネルの側方に開口し、吹出口を前記壁面あるいは天井面と平行となる外側パネルの面に設けたことにより、外側パネルの側方に開口した吸込口と、外側パネルの面に設けた吹出口の位置は遠ざかり、しかも吸込口と吹出口の方向が異なることによりショートサーキット現象が発生することが防止できるという作用を有する。
【００３９】
また、請求項５記載の発明は、内側パネルと外側パネルとの隙間を吸込口としたことにより、汚染しやすい吸込口が目立たなくなりインテリア性の向上を図ることができるとともに、外側パネルを取り外すことにより、内側パネルの清掃も容易にできるという作用を有する。
【００４０】
また、請求項６記載の発明は、外側パネルを内側パネルより大きく形成したことにより、内側パネルが使用者の視線より外側パネルにより隠されるため、施工時に外側パネルと壁面あるいは天井面との隙間の調節をすることなく美観を保つことができるという作用を有する。
【００４１】
また、請求項７記載の発明は、外側パネルを壁面あるいは天井面に対し湾曲状に形成したことにより、外側パネルの裏側が使用者により見えにくくなるとともに、壁面あるいは天井面との隙間もわかりにくくなるため施工による美観のばらつきが無くなるという作用を有する。
【００４２】
また、請求項８記載の発明は、外側パネルを壁面あるいは天井面に対し可動する構造のものであり、運転停止時には壁面あるいは天井面に当接収納可能にしたことにより、運転停止時には、外側パネルは壁面あるいは天井面に当接収納されることにより、壁面あるいは天井面の美観を損なうことがなくなり、また使用時には外側パネルを稼動して壁面あるいは天井面との間に隙間が形成されるため、使用者が運転状態を容易に確認することができるという作用を有する。
【００４３】
また、請求項９記載の発明は、外側パネルを天井面に対し可動するものであり、壁面あるいは天井面との隙間を調節可能としたことにより、壁面または天井面と外側パネルとの隙間、つまり吸込口の大きさを可変することにより、吸込気流の風量が変化し、空調能力を変化することができ、また、室内の風の流れも変えられるため、室内の大きさに対応できる空気調和を行なうことができるという作用を有する。
【００４４】
以下、本発明の実施の形態について図面を参照しながら説明する。
【００４５】
（実施の形態１）
図１〜図４に示すように、外壁に換気手段１を設けた前面を開口した箱状で、内部には室内の空気を熱交換する熱交換器２を介して温風を循環する暖房手段３と、室内を加湿する加湿手段４と、これらを制御する制御手段５とにより形成される空調手段６を設けて本体７を形成し、本体７の前面開口には、内側吸込口８と、左右よりフィルター９を挿入するフィルター挿入口１０と、吹き出す風の方向を可変するルーバー１１を有した内側吹出口１２とを設けた内側パネル１３を設ける。
【００４６】
また、内側パネル１３の内側吹出口１２と連通して吹出空気流路１４を形成するように外側吹出口１５を設けた外側パネル１６は、内側パネル１３を覆う形状で備えられている。外側パネル１６の裏面には、内側パネル１３に取り付けられるように、２又状で外方に開き勝手の開閉自在なスプリング１７を設け、内側パネル１３にはスプリング１７の開き勝手の弾性力で係合する孔状の係合部１８を設けることにより、外側パネル１６は内側パネル１３に保持され、内側パネル１３と外側パネル１６との間に内側吸込口８に連通する吸込空気流路１９を形成する。
【００４７】
また、外側パネル１６は本体７の設けられる天井面２０との間に隙間２１を設けて取り付けるように形成され、外側パネル１６に設けられた外側吹出口１５が吹出口２２として形成され、吹出口２２と異なる面となる吸込空気流路１９を形成する内側パネル１３と外側パネル１６との隙間で形成された端部開口が吸込口２３を形成し、吸込口２３は本体７が設けられる天井面２０と垂直となる外側パネル１６の側方に開口し、吹出口２２を天井面２０と平行となる外側パネル１６の表面となる面２４に設ける。
【００４８】
また、外側パネル１６を内側パネル１３より大きく形成し、外側パネル１６を天井面２０に対し、膨出する湾曲部２５により湾曲状に形成し構成する。
【００４９】
上記構成において、空気調和装置を天井面２０に設置するときには、天井面２０に本体７を吊り下げボルト２６で吊り下げ配置し本体７を設置したのち、本体７に内側パネル１３を取り付け、さらに外側パネル１６を外側パネル１６に設けたスプリング１７と内側パネル１３の係合部１８との係合により、天井面２０より一定の隙間２１を確保して取り付けて設置する。
【００５０】
そして、天井面２０に設置した空気調和装置を運転すると、室内の空気が内側パネル１３と外側パネル１６との間に形成される吸込空気流路１９の端部開口に形成される吸込口２３より吸い込まれ、吸込空気流路１９を通り、内側パネル１３に設けた内側吸込口８より本体７内に入り、本体７内に設けた空調手段６により空調された空気が内側パネル１３に設けた内側吹出口１２により外側パネル１６に設けた外側吹出口１５と連通し形成された吹出空気流路１４を通り吹出口２２より室内に吹き出されて室内の空調が行なわれる。
【００５１】
このとき、吸込口２３は、本体７が設けられる天井面２０と垂直となる外側パネル１６側方に開口して設けられ、吹出口２２は天井面２０と平行となる外側パネル１６の面２４に設けたため、吸込口２３と吹出口２２を異なる平面上に設けることとなる。外側パネル１６は、天井面２０との間に隙間２１を設けて取り付けられていることにより、吹出口２２から吹き出される空調された空気が、吹出口２２と遠ざかった位置で異なる平面上に設けた吸込口２３より吸い込まれる室内の空気に混合し、ショートサーキット現象が発生することがなくなるとともに、外側パネル１６は天井面２０より一定の隙間２１を設けて取り付けられることにより、天井面２０との隙間２１に不均一が目立たなくなる。また、汚染しやすい吸込口２３が使用者から見えにくい外側パネル１６側方に設けられることにより、外側パネル１６の面２４には吸込口２３がないのでデザイン性の向上が図れるとともに、吸込口に設けられる桟もなくなるため外側パネル１６の表面の凸凹がなくなりお手入れも容易となる。
【００５２】
また、外側パネル１６を内側パネル１３より大きく形成していることにより、内側パネル１３は、見えにくくなるとともに、天井面２０との隙間２１の調整をする必要がなく、美観を保つことができ、また、外側パネル１６を湾曲部２５により湾曲状に形成していることにより、外側パネル１６の裏側が使用者に見えにくくなるとともに、天井面２０との隙間２１の不均一もわかりにくくなるため施工による美観のばらつきを無くすとともに、施工が容易となる。
【００５３】
また、フィルター９の掃除または交換するときには、内側パネル１３のフィルター挿入口１０よりフィルター９を引き出し、掃除または交換を行なう。
【００５４】
また、室内の汚染空気を吸い込む吸入空気流路１９の掃除をするときには、外側パネル１６に設けた開き勝手のスプリング１７の幅を縮小し内側パネル１３に設けた係合部１８との係合を解除して外側パネル１６を内側パネル１３より取り外し吸込空気流路１９を形成する内側パネル１３の表面側および外側パネル１６の裏面側を掃除し、スプリング１７を操作し外側パネル１６を内側パネル１３に取り付け完了する。
【００５５】
なお、実施の形態１では、本体７を天井面２０に取り付けるものを用いて説明したが、本体７を壁面に取り付けるようにしても同様の作用効果をもたらすことはいうまでもなく、本体７は天井面２０または壁面に取り付けても良いのである。
【００５６】
（実施の形態２）
図５および図６に示すように、外側パネル１６Ａは吹出空気流路１４と表面となる面２４Ａの裏側に表面となる面２４Ａに対し垂直方向に突出した表面が凸凹形状である可動軸２７を備え、一方本体７は内部に可動軸２７を保持および可動する移動手段２８を設けており、移動手段２８により可動軸２７は保持されることとなり、外側パネル１６Ａは本体７に保持されることとなる。
【００５７】
移動手段２８は内部に駆動用モーター２９とギア３０を備えており、ギア３０の凸凹と可動軸２７の凸凹がはまり込み可動軸２７は保持される。また外側パネル１６Ａは天井面２０Ａまたは壁面（図示せず）に対し当接収納可能に設けた構成とする。一方移動手段２８の駆動用モーター２９は制御手段５と電気的に接続されたものである。
【００５８】
上記構成において空気調和装置の運転時には制御手段５により、駆動用モーター２９に指示がなされ、駆動用モーター２９が回転することにより、可動軸２７が天井面２４Ａあるいは壁面に対し垂直に移動するため、可動軸２７に連結された外側パネル１６Ａも移動する。駆動用モーター２９は一定の回転数で停止することにより、可動軸２７は移動を停止し、外側パネル１６Ａは天井面２０Ａあるいは壁面と一定の隙間２１Ａを形成して保持されることとなる。一定の隙間２１Ａは空気吸込口となる吸込空気流路１９を形成し、室内空気は吸込空気流路１９を介して空調手段６に吸込まれ、空調手段６より吹出された空気は吹出空気流路１４を介して室内に吹出されることとなる。
【００５９】
一方、運転停止すると制御手段５より駆動用モーター２９に指示が送られ、駆動用モーター２９が回転を行ない、一定回転数で停止する。駆動用モーター２９が停止したとき外側パネル１６Ａは天井面２０Ａに当接収納されることとなる。このことにより、運転停止時には天井面２０Ａあるいは壁面の美観を損なうことがなくなり、また運転時には外側パネル１６Ａが移動して天井面２０Ａあるいは壁面との間に隙間２１Ａが形成されるため、使用者が運転状態を容易に確認することができる。
【００６０】
なお本実施例では可動軸２７とギア３０の表面を凸凹形状を有したものとしたが、螺旋溝を備えたものでもよく、その作用効果になんら変わりはない。
【００６１】
（実施の形態３）
図７は本実施の形態３を示すものである。
【００６２】
図７において図５および図６と同じ構成要素については同じ符号を用い、その説明は省略する。
【００６３】
図７に示すように、外側パネル１６Ｂを天井面２０Ｂまたは壁面（図示せず）に対し移動自在となるように外側パネル１６Ｂに可動軸２７Ａを設け、可動軸２７Ａを本体７Ｂに設けた移動手段２８Ａにより移動するように設け、外側パネル１６Ｂと天井面２０Ｂとの隙間２１Ｂを調節可能として吸込口２３Ａの大きさを可変せしめる構成とする。
【００６４】
上記構成において、外側パネル１６Ｂを可動軸２７Ａを介し移動手段２８Ａを操作し、外側パネル１６Ｂが天井面２０Ｂに近づいた位置（Ａ）のときには、吸込口２３Ａの開口面積が小さくなって吸込風量が減少することにより空調能力は小さくなり、外側パネル１６Ｂが天井面２０Ｂより遠ざかった位置（Ｂ）のときには吸込口２３Ａの開口面積が大きく吸込風量が増大することとなり、空調能力を大きくすることができる。
【００６５】
このように、外側パネル１６Ｂを天井面２０Ｂに無段階に遠近させることにより、吸込口２３Ａの開口面積が変化して空調能力を調節すること、および室内に流れる風の流れにより、室内の大きさに対応した空調を行なうことができることとなる。
【産業上の利用可能性】
【００６６】
内側パネルと外側パネルを用いて吸込空気流路と吹出空気流路の構造ができ、給排気形換気扇の用途にも適用できる。
【図面の簡単な説明】
【００６７】
【図１】本発明の実施の形態１の空気調和装置の設置状態を示す概略断面図
【図２】同空気調和装置の分解斜視図
【図３】同空気調和装置の外側パネルの背面図
【図４】同空気調和装置の外側パネルの湾曲形状を示す側面図
【図５】本発明の実施の形態２の空気調和装置の使用状態を示す概略図
【図６】同空気調和装置の運転停止時の状態を示す概略図
【図７】本発明の実施の形態３の使用状態を示す概略図
【図８】（イ）従来のミスト装置の運転停止時の状態を示す断面図（ロ）同ミスト装置の運転時の状態を示す断面図
【符号の説明】
【００６８】
６      空調手段
７      本体
８      内側吸込口
１２    内側吹出口
１３    内側パネル
１４    吹出空気流路
１５    外側吹出口
１６    外側パネル
１６Ａ  外側パネル
１６Ｂ  外側パネル
１９    吸込空気流路
２０    天井面
２０Ａ  天井面
２０Ｂ  天井面
２１    隙間
２１Ｂ  隙間
２２    吹出口
２３    吸込口
２８    移動手段
【図１】
2006214665.tif 000003
【図２】
2006214665.tif 000004
【図３】
2006214665.tif 000005
【図４】
2006214665.tif 000006
【図５】
2006214665.tif 000007
【図６】
2006214665.tif 000008
【図７】
2006214665.tif 000009
【図８】
2006214665.tif 000010